(57)【要約】  【課題】  本体内部の使用可能エリアを増大でき、生産性を向上できるという効果を有するフード付きハウジングを提供する。  【解決手段】  フード付きハウジング１は、収容物が搭載される底板３と、収容物３を覆うように底板３に被せられたハウジング本体５と、ハウジング本体５の外側に隙間を開けて固定されたフード７とを備える。ハウジング本体５の下端が外側に曲げられてパッキン押さえ部３３、３５、３７が形成されており、さらに、パッキン押さえ部３３、３５、３７の端部が上方に曲げられてフード取付部４１、４３、４５が形成されている。パッキン押さえ部３３、３５、３７と底板３の間に防水パッキンが挟み込まれる。フード取付部４１、４３、４５の外側にフード７が取り付けられる。【選択図】  図１
2006278398.tif 000002
【特許請求の範囲】
【請求項１】
収容物が搭載される底板と、前記収容物を覆うように前記底板に被せられたハウジング本体と、前記ハウジング本体の外側に隙間を開けて固定されたフードとを備え、前記ハウジング本体の下端が外側に曲げられてパッキン押さえ部が形成されており、さらに、前記パッキン押さえ部の端部が上方に曲げられてフード取付部が形成されており、前記パッキン押さえ部と前記底板の間に防水パッキンが挟み込まれ、前記フード取付部の外側に前記フードが取り付けられることを特徴とするフード付きハウジング。
【請求項２】
前記フードが前記フード取付部より下方に延びて、前記底板の外縁の外側に位置しており、前記フードの下部が被ガイド部として、前記底板の外縁によりガイドされることを特徴とする請求項１に記載のフード付きハウジング。
【請求項３】
前記ハウジング本体は、本体素材板から折曲げ加工によって箱形形状とその縁部の前記パッキン押さえ部および前記フード取付部を形成した部材であることを特徴とする請求項１または２に記載のフード付きハウジング。
【請求項４】
カメラと、前記カメラが搭載される底板と、前記カメラを覆うように前記底板に被せられたハウジング本体と、前記ハウジング本体の外側に隙間を開けて固定されたフードとを備え、前記ハウジング本体の下端が外側に曲げられてパッキン押さえ部が形成されており、さらに、前記パッキン押さえ部の端部が上方に曲げられてフード取付部が形成されており、前記パッキン押さえ部と前記底板の間に防水パッキンが挟み込まれ、前記フード取付部の外側に前記フードが取り付けられることを特徴とするフード付きハウジング収容カメラ装置。
【発明の詳細な説明】
【技術分野】
【０００１】
本発明は、カメラ等の収容物を収容するフード付きハウジングに関する。
【背景技術】
【０００２】
従来、屋外にカメラ等の機器を設置する場合に、フード付きハウジングが利用されている。フード付きハウジングは、例えば、特許文献１、２に開示されており、フードによって遮熱および遮光等の効果を得ることができる。
【０００３】
このようなフード付きハウジングは、例えば、道路上空に設置される監視カメラを収容するために用いられている。この種のカメラ装置は、高温に弱いのにも拘わらず、炎天下で太陽の光に直接さらされる。したがって、フードでの遮熱が非常に重要である。
【０００４】
図５および図６は、従来のフード付きハウジングの例を示しており、この例では収容物がカメラである。フード付きハウジング１０１は、底板１０３、ハウジング本体１０５およびフード１０７を備えている。底板１０３に、収容物であるカメラ１０９が搭載されている。そして、ハウジング本体１０５が底板１０３に被せられ、カメラ１０９を上から覆っている。フード１０７は、ハウジング本体１０５の外側に隙間を開けて固定されている。
【０００５】
底板１０３とハウジング本体１０５の間には、防水性を確保するための防水パッキン１１１が挟まれている。防水パッキン１１１は、底板１０３の縁部に沿って配置されている。ハウジング本体１０５の内側にはパッキン押さえ板１１３が溶接されている。そして、パッキン押さえ板１１３が防水パッキン１１１を押さえつけている。図示のように、幅広の帯状の防水パッキン１１１を使用することにより、風雨の厳しい使用環境にも耐える確実な防水機能が得られている。
【０００６】
また、フード１０７の遮熱性能を効果的に得るためには、ハウジング本体１０５とフード１０７の間のスペースが必要である。そこで、従来は、ハウジング本体１０５の外側に突出するようにフード固定用ボス１１５が設けられている。そして、ビス１１７を使ってフード固定用ボス１１５にフード１０７が固定されている。
【０００７】
フード付きハウジング１０１の組立順序としては、まず、ハウジング本体１０５にフード１０７が取り付けられる。そして、ハウジング本体１０５とフード１０７の組立品が、底板１０３の上に載せられる。このとき、ハウジング本体１０５の下端の縁部が、底板１０３の外側に嵌り、これにより、ハウジング本体１０５がガイドされる。そして、ハウジング本体１０５のパッキン押さえ板１１３が防水パッキン１１１を押さえつける。ハウジング本体１０５と底板１０３はビスで固定される。
【特許文献１】特開２０００−３１５８７２号公報（第３−４ページ、図３、図４）
【特許文献２】実開昭６０−１４２５４２号公報（図２）
【発明の開示】
【発明が解決しようとする課題】
【０００８】
しかしながら、従来のフード付きハウジングは、図７に示されるように、本体の中に使用不可能エリア１２１が存在し、そのために使用可能エリア１２３が本体内部空間より小さくなるという問題があった。
【０００９】
より詳細には、図７に示すように、従来は、防水パッキン押さえ板１１３が、ハウジング本体１０５の内壁面から内側に突出している。組立時にハウジング本体１０５を底板１０３に被せるとき、左右のパッキン押さえ板１１３の間を収容物が通る必要がある。すなわち、収容物の幅が、左右のパッキン押さえ板１１３の隙間より小さい必要がある。そのため、パッキン押さえ板１１３の上の空間が使用不可能エリア１２１になり、使用可能エリア１２３（斜線）が本体内部空間より小さくなる。
【００１０】
さらに、パッキン押さえ板１１３をハウジング本体１０５に固定する際、防水性を確保するために、本体内面の全周に渡ってパッキン押さえ板１１３を溶接する必要があり、あるいは、全周に渡ってシーリング剤を塗布する必要があり、製造が容易でなく、生産性が低く、製造コストも高くなるという問題もあった。
【００１１】
さらに、ハウジング本体１０５へのフード固定用ボス１１５の取付部分は、強度と防水性が求められる。そこで、ハウジング本体１０５に貫通穴が開けられ、貫通穴にフード固定用ボス１１５が固定され、そして、固定部分に防水処理が施されており、この点でも、構造が簡単ではなく、生産性が低く、製造コストも高くなるという問題があった。
【００１２】
本発明は従来の問題を解決するためになされたものであり、その目的は、本体内部の使用可能エリアを増大でき、生産性も向上できるフード付きハウジングを提供することにある。
【課題を解決するための手段】
【００１３】
本発明のフード付きハウジングは、収容物が搭載される底板と、前記収容物を覆うように前記底板に被せられたハウジング本体と、前記ハウジング本体の外側に隙間を開けて固定されたフードとを備え、前記ハウジング本体の下端が外側に曲げられてパッキン押さえ部が形成されており、さらに、前記パッキン押さえ部の端部が上方に曲げられてフード取付部が形成されており、前記パッキン押さえ部と前記底板の間に防水パッキンが挟み込まれ、前記フード取付部の外側に前記フードが取り付けられる。
【００１４】
この構成により、ハウジング本体の下端が外側に曲げられてパッキン押さえ部が形成されており、さらに、パッキン押さえ部の端部が上方に曲げられてフード取付部が形成されている。したがって、ハウジング本体とフードとの隙間の底部に配置されることになり、パッキン押さえのための本体内部の使用不可能エリアを削減できる。また、ハウジング本体を曲げてパッキン押さえ板およびフード取付部が形成されるので、構造が簡素化して製造が容易になる。こうして、フード付きハウジングの使用可能エリアを増大でき、かつ、生産性を向上できる。
【００１５】
また、本発明のフード付きハウジングでは、前記フードが前記フード取付部より下方に延びて、前記底板の外縁の外側に位置しており、前記フードの下部が被ガイド部として、前記底板の外縁によりガイドされる。この構成により、ハウジング本体を底板に被せるときのガイドとしてフード下端を利用することにより、構造を簡素化して生産性を向上できる。
【００１６】
また、本発明のフード付きハウジングにおいて、前記ハウジング本体は、本体素材板から折曲げ加工によって箱形形状とその縁部の前記パッキン押さえ部および前記フード取付部を形成した部材である。この構成により、パッキン押さえ部とフード取付部を備えたハウジング本体を一枚の本体素材板から製造することができ、溶接工程および防水処理工程を減らし、生産性を向上できる。
【００１７】
また、本発明の別の態様は、フード付きハウジング収容カメラ装置であり、この装置は、カメラと、前記カメラが搭載される底板と、前記カメラを覆うように前記底板に被せられたハウジング本体と、前記ハウジング本体の外側に隙間を開けて固定されたフードとを備え、前記ハウジング本体の下端が外側に曲げられてパッキン押さえ部が形成されており、さらに、前記パッキン押さえ部の端部が上方に曲げられてフード取付部が形成されており、前記パッキン押さえ部と前記底板の間に防水パッキンが挟み込まれ、前記フード取付部の外側に前記フードが取り付けられる。この構成によっても、上述の本発明の利点が得られる。
【発明の効果】
【００１８】
本発明によれば、ハウジング本体の下端を外側に折り曲げてパッキン押さえ部を形成し、さらに、パッキン押さえ部の端部を上方に折り曲げてフード取付部を形成したことより、本体内部の使用可能エリアを増大でき、生産性を向上できるという効果を有するフード付きハウジングを提供することができる。
【発明を実施するための最良の形態】
【００１９】
以下、本発明の実施の形態のフード付きハウジングについて、図面を用いて説明する。本実施の形態ではハウジングの収容物がカメラであり、別の見方では、ハウジングを備えたカメラ装置に本発明が適用される。
【００２０】
本発明の実施の形態に係るフード付きハウジングを図１および図２に示す。図１（ａ）、図１（ｂ）はそれぞれ縦断面図および横断面図であり、図２は分解状態の斜視図である。なお、本実施の形態のフード付きハウジングは全体として略直方体である。そして、図１（ａ）の縦断面は長手方向に沿って切断した断面であり、図１（ｂ）の横断面は長手方向と垂直な方向に沿って切断した断面である。また、以下の説明では、カメラの撮影窓が設けられている側を、前側とする。
【００２１】
図１および図２に示すように、フード付きハウジング１は、底板３、ハウジング本体５およびフード７を備えている。底板３には、収容物であるカメラ９が搭載されている。そして、ハウジング本体５が底板３に被せられ、カメラ９を上から覆っている。フード７は、ハウジング本体５の外側に隙間を開けて固定されている。
【００２２】
底板３は鉄製の略長方形の板状部材である。底板３の４辺の縁部が上方に折り曲げられて、４つの縁壁部、すなわち、前縁壁部１１、右縁壁部１３、左縁壁部１５および後縁壁部１７が形成されている。これら縁壁部の内側に沿うようにして、帯状の防水パッキン１９が底板３の全周に設けられている。防水パッキン１９はゴム製であり、略長方形の断面を有している。幅広の帯状の防水パッキン１９を使用することで、風雨の厳しい使用環境にも耐える確実な防水機能が得られている。また、底板３の下には、ハウジング固定用の金具（図示せず）が設けられる。
【００２３】
ハウジング本体５は、鉄板製の略直方体形状の箱であり、前壁２１、右壁２３、左壁２５、後壁２７および天井２９を有している。ハウジング本体５は、箱を逆さにして箱の口を下に向けるように配置されている。ハウジング本体５の前壁２１には撮影窓３１が設けられている。
【００２４】
ハウジング本体５の右壁２３、左壁２５および後壁２７の下端は外側に折り曲げられており、これにより、ハウジング本体５の外側に突出したパッキン押さえ部３３、３５、３７が形成されている。また、ハウジング本体５の前壁２１の下端は、他の壁部と異なって内側に折り曲げられており、パッキン押さえ部３９が本体内部へ突出している。
【００２５】
パッキン押さえ部３３、３５、３７、３９は底板３と平行な板状部分であり、互いに繋げられてハウジング本体５の全周に渡って延びている。そして、防水パッキン１９がパッキン押さえ部３３、３５、３７、３９と底板３の間に挟み込まれ、押さえつけられている。
【００２６】
また、ハウジング本体５の右壁２３、左壁２５および後壁２７では、パッキン押さえ部３３、３５、３７の端部が上方に折り曲げられて、フード取付部４１、４３、４５が形成されている。フード取付部４１、４３、４５はハウジング本体５の壁部（右壁２３、左壁２５および後壁２７）と平行な板状部分であり、フード取付部４１、４３、４５の外側にフード７がビス４７で取り付けられている。ビス４７は、フード取付部４１、４３、４５に設けられたフード固定用タップ４９に締め付けられている。フード取付部４１、４３、４５には、それぞれ２カ所のフード固定用タップ４９が設けられている。フード取付部の幅および締付箇所の位置および数は、強風等を想定して、フード取付構造の強度が十分に確保されるように設定されている。
【００２７】
フード７は、鉄板製であり、フード右壁５１、フード左壁５３、フード後壁５５およびフード天井５７で構成されている。フード右壁５１、フード左壁５３、フード後壁５５が上述のようにしてハウジング本体５のフード取付部４１、４３、４５に固定されて、これにより、フード７がハウジング本体５に対して隙間をあけて固定される。
【００２８】
また、フード７のフード右壁５１およびフード左壁５３の下端は、下記のように、被ガイド部５９、６１として機能する。被ガイド部５９、６１は、図１（ｂ）に示されるように、フード取付部４１、４３の下端（ハウジング本体５の下端）より下に延びて突き出した部分である。被ガイド部５９、６１は、底板３の両端の右縁壁部１３および左縁壁部１５の外面によってガイドされる。右縁壁部１３および左縁壁部１５は、フード取付部４１、４３と左右方向に同位置にあり、すなわち、フード取付部４１、４３の真下にあり、したがって、右縁壁部１３および左縁壁部１５の外側に近接してフード下端の被ガイド部５９、６１が位置する。組立の際に、右縁壁部１３および左縁壁部１５がガイド部として機能し、被ガイド部５９、６１をガイドする。
【００２９】
また、本実施の形態では、ハウジング本体５が、１枚の本体素材板を折り曲げ加工することによって箱形に形成されている。パッキン押さえ部３３、３５、３７、３９およびフード固定部４１、４３、４５も、上記本体素材板を折り曲げることで作られている。
【００３０】
また、左右のパッキン押さえ部３３、３５と前縁部のパッキン押さえ部３９との隙間は金属パテによって塞がれておおり、左右のパッキン押さえ部３３、３５と後側のパッキン押さえ部３７も隙間がなくなるように連結されており、４枚のパッキン押さえ部３３、３５、３７、３９の下面が連続している。そして、パッキン押さえ部３３、３５、３７、３９の下面は必要に応じて研磨されて、平面に仕上げられている。こうして、ハウジング全周に渡るパッキン押さえ面が形成されており、全周の防水性が確保されている。
【００３１】
次に、本実施の形態のフード付きハウジング１の組立順序を説明する。図３に示されるように、組立時は、まず、ハウジング本体５にフード７が取り付けられる。このとき、ハウジング本体５のフード取付部４１、４３、４５にフード７のフード右壁５１、フード左壁５３およびフード後壁５５がそれぞれビス４７で固定される。
【００３２】
一方、底板３の上にはカメラ９と防水パッキン１９が設置される。そして、ハウジング本体５とフード７の組立品が、底板３の上に載せられる。このとき、フード７の下端の被ガイド部５９、６１が、底板３の右縁壁部１３および左縁壁部１５の外面にガイドされる。これにより、ハウジング本体５がスムーズに底板３の上の適正な場所に位置し、パッキン押さえ部３３、３５、３７、３９が防水パッキン１９の上に載る。そして、ハウジング本体５と底板３がねじで固定され、これにより、ハウジング本体５と底板３の間に防水パッキン１９が挟まれ、圧縮される。
【００３３】
図４は、従来のフード付きハウジングと本実施の形態のフード付きハウジングを比較する図である。図４においては、上側が本実施の形態のフード付きハウジングの断面図であり下側が従来のフード付きハウジングの断面図である。
【００３４】
図４下段に示されるように、従来は、本体内部にパッキング押さえ板１１３が突き出しているために、本体内部空間の一部が使用不可能エリア１２１であり、そのため、使用可能エリア１２３が小さくなっていた。一方、図４上段に示されるように、本実施の形態では、本体下部を外側に折り曲げてパッキン押さえ部３３、３５を形成しているので、パッキン押さえ部３３、３５が、ハウジング本体内部でなく、ハウジング本体５とフード７の隙間の底部に配置されており、すなわちパッキンを押さえる場所が移っている。これにより、本体内部の全幅が使用可能エリア１２３になっており、使用可能エリア１２３が増大している。
【００３５】
また、上記構成は、使用不可能エリア１２１を削減できるので、同じ大きさの収容物を収容する場合には本体形状を小さくできる。したがって、本発明の利点として、ハウジング本体を小型化して、ハウジング本体とフードの隙間を拡大し、遮熱効果を増大できる。また、本発明の利点として、ハウジング本体と共にフードを小型化して、ハウジング全体のサイズを小型化することもできる。
【００３６】
また、図４では示されないが、本体後部のパッキン押さえ部３７も同様の外側折曲げ構成を有しており、使用可能エリア１２３の増大に寄与している。その一方、本体前部については、前壁２１の下端が内側に折り曲げられており、本発明の外側折曲げ構成が適用されていない（前壁２１では、壁面の内側に撮影窓部材があるために、本発明の効果が少ない）。ただし、前壁下端も外側に折り曲げられてもよい。
【００３７】
図４を参照し、本実施の形態のその他の利点も説明する。図４下段に示されるように、従来は、ハウジング押さえ板１１３がハウジング本体１０５と別体の専用部品である。そのため、防水性確保のために、ハウジング押さえ板１１３とハウジング本体１０５を全周に渡って溶接する必要があり、あるいは、全周に渡ってシーリング剤を塗布する防水処理が必要である。これに対して、図４上段に示されるように、本実施の形態では、ハウジング本体５を折り曲げてハウジング押さえ部３３、３５を形成している。したがって、構造が簡素化し、溶接および防水処理を全周に対して施す必要がなくなり、製造が容易になって生産性が向上し、製造コストを削減できる。
【００３８】
さらに、図４下段に示されるように、従来は、ハウジング本体１０５へのフード１０７の固定にフード固定用ボス１１５が使われている。そして、ハウジング本体１０５への穴開け、フード固定用ボス１１５のハウジング本体１０５への取付、および、取付部分の防水処理が必要であった。これに対して、図４上段に示されるように、本実施の形態では、ハウジング本体５を単に折り曲げてフード取付部４１、４３が形成されており、フード取付構造に関して構造が簡素化し、製造が容易になって生産性が大幅に向上し、製造コストが削減される。
【００３９】
さらに、図４下段に示されるように、従来は、ハウジング本体１０５の下部が底板１０３の縁部によってガイドされる。これに対して、図４上段に示されるように、本実施の形態では、フード７の下部が延ばされて被ガイド部５９、６１が形成され、この被ガイド部５９、６１が底板３の縁部によってガイドされる。
【００４０】
ここで、本実施の形態では、ハウジング本体５の下端を折り曲げてパッキン押さえ部を形成したので、従来のように本体下部を被ガイド部として利用できない。しかし、フード下部を被ガイド部として機能させることにより、簡単な構成でもってガイド機能を確保できている。
【００４１】
また、従来構造では、本体下部をガイドとして使う必要があるために、別部品のパッキン押さえ板１１３を取り付ける構造を採用しているということもでき、そのために全周の溶接が必要になっている。これに対して、本実施の形態は、フード下部を被ガイド部として機能させたので、従来の溶接が不要になっている。したがって、構造が簡素化して、生産性が向上し、低コストでガイド機能を確保できている。
【００４２】
以上、本実施の形態に係るフード付きハウジング１について説明した。本実施の形態によれば、ハウジング本体５の下端を外側に折り曲げてパッキン押さえ部３３、３５、３７を形成し、さらに、パッキン押さえ部３３、３５、３７の端部を上方に折り曲げてフード取付部４１、４３、４５を形成している。したがって、パッキン押さえ部３３、３５、３７がハウジング本体５とフード７との隙間の底部に配置されることになり、パッキン押さえのための本体内部の使用不可能エリアを削減できる。また、ハウジング本体５を曲げてパッキン押さえ板３３、３５、３７およびフード取付部４１、４３、４５が形成されるので、構造が簡素化して製造が容易になる。こうして、フード付きハウジング１の使用可能エリアを増大でき、かつ、生産性を向上できる。さらには、上述したようにハウジング本体５またはフード付きハウジング１全体の小型化も可能になる。
【００４３】
また、本実施の形態では、ハウジング本体５を底板３に被せるときの被ガイド部５９、６１としてフード下端を機能させることにより、構造を簡素化して生産性を向上できる。
【００４４】
また、本実施の形態によれば、本体素材板から折曲げ加工によって箱形形状とその縁部のパッキン押さえ部およびフード取付部を形成した部材をハウジング本体として用いているので、パッキン押さえ部とフード取付部を備えたハウジング本体を一枚の本体素材板から製造することができ、溶接工程および防水処理工程を減らし、生産性を向上できる。
【００４５】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００４６】
以上のように、本発明にかかるフード付きハウジングは、本体内部の使用可能エリアを増大でき、生産性を向上できるという効果を有し、屋外カメラ用ハウジング等として有用である。
【図面の簡単な説明】
【００４７】
【図１】（ａ）本発明の実施の形態に係るフード付きハウジングの縦断面図  （ｂ）本発明の実施の形態に係るフード付きハウジングの横断面図
【図２】本発明の実施の形態に係るフード付きハウジングの分解状態の斜視図
【図３】本発明の実施の形態に係るフード付きハウジングの組立順序を示す図
【図４】本実施の形態に係るフード付きハウジングを従来のフード付きハウジングと比較して示す図
【図５】従来のフード付きハウジングの分解状態の斜視図
【図６】従来のフード付きハウジングの断面図
【図７】従来のフード付きハウジングにおける本体内部の使用不可能エリアと使用可能エリアを示す図
【符号の説明】
【００４８】
１  フード付きハウジング
３  底板
５  ハウジング本体
７  フード
９  カメラ
１９  防水パッキン
３３、３５、３７  パッキン押さえ部
４１、４３、４５  フード取付部
５９、６１  被ガイド部
【図１】
2006278398.tif 000003
【図２】
2006278398.tif 000004
【図３】
2006278398.tif 000005
【図４】
2006278398.tif 000006
【図５】
2006278398.tif 000007
【図６】
2006278398.tif 000008
【図７】
2006278398.tif 000009